(57)【要約】【課題】本発明は、通風乾燥部に均一な温度の熱風を大量に導入することができ、穀物をムラなく効果的に乾燥させることができる穀物乾燥機を提供することを目的とする。【解決手段】本発明の穀物乾燥機は、熱風室内には、ケース内に導入される外気を当該熱風室に案内する隔壁であって、前記機体の一側から他側に向けて延伸し当該熱風室内において端部が開口する案内隔壁が配設されるとともに、前記ケース内には、前記バーナにより加熱される外気を前記案内隔壁内に案内するバーナ隔壁が配設されてなり、前記バーナにより加熱される外気とそれ以外の外気を、前記案内隔壁内で混合して前記熱風室に導入することを特徴とする。【選択図】図１
2015108490.tif 000002
【特許請求の範囲】
【請求項１】
上部に穀物貯留部、下部に通風乾燥部を有する機体を備え、前記穀物貯留部から流下する穀物を前記通風乾燥部において通風乾燥する穀物乾燥機であって、前記機体の一側には外気導入口が形成されてなるケースが配設されるとともにバーナが設けられ、前記機体の他側には排風ファンが配設されてなり、前記通風乾燥部は、前記ケースに連通する熱風室、該熱風室の側方に通気性を有する隔壁を介して設けられ前記穀物が流下する乾燥室、前記乾燥室の側方に通気性を有する隔壁を介して設けられ前記排風ファンと連通する排風室、を有してなる穀物乾燥機において、
前記熱風室内には、前記ケース内に導入される外気を当該熱風室に案内する隔壁であって、前記機体の一側から他側に向けて延伸し当該熱風室内において端部が開口する案内隔壁が配設されるとともに、前記ケース内には、前記バーナにより加熱された外気を前記案内隔壁に案内するバーナ隔壁が配設されてなり、
前記バーナにより加熱される外気とそれ以外の外気を、前記案内隔壁内で混合して前記熱風室に導入することを特徴とする穀物乾燥機。
【請求項２】
前記バーナ隔壁は筒状であって、前記案内隔壁内において側面が開口する請求項１記載の穀物乾燥機。
【請求項３】
前記案内隔壁は、遠赤外線を放射する隔壁である請求項１又は２記載の穀物乾燥機。
【発明の詳細な説明】
【技術分野】
【０００１】
本発明は、熱風により穀物を乾燥させる穀物乾燥機であって、穀物をムラなく効果的に乾燥させることができる穀物乾燥機に関する。
【背景技術】
【０００２】
従来、熱風により穀物を乾燥させる穀物乾燥機は周知である（例えば、特許文献１参照。）。
【０００３】
図３は特許文献１に記載された穀物乾燥機の側断面図、図４は図３の穀物乾燥機の正断面図を示す。
特許文献１に記載された穀物乾燥機１０は、上部に穀物タンク１４、下部に通風乾燥部１５を有する機体１２と、該機体１２の前側に立設される揚穀機７０を備えている。
【０００４】
前記通風乾燥部１５の下方には、前記揚穀機７０の下部に接続される下スクリューコンベア６４が配設されている。
また、前記穀物タンク１４の上方には、前記揚穀機７０の上部に接続される上スクリューコンベア７６が配設され、該上スクリューコンベア７６の後端下方には回転盤９０が設けられている。
【０００５】
前記通風乾燥部１５の中央には熱風室２２が設けられ、該熱風室２２の両側には通気性を有する隔壁１８を介して穀物乾燥室３６、該穀物乾燥室３６のさらに外側には通気性を有する隔壁１６を介して排風室４０が設けられている。
【０００６】
前記機体１２の前面壁１２Ａには、前記熱風室２２に連通する開口２６が設けられ、前記開口２６の前側には、複数の外気導入口４４が形成されてなるケース４２が配設されている。
また、前記ケース４２直下の左側には、内部にバーナ４８を備えるバーナケース４６が配設されており、前記ケース４２と前記バーナケース４６は、それぞれに形成される開口を介して連通している。
【０００７】
前記機体の後面壁１２Ｂには、前記排風室４０と連通する開口５２が設けられ、前記開口５２の後側には、ファンボックス５０を介して吸引ファン５４及び排風ダクト５６が配設されている。
【０００８】
上記穀物乾燥機１０において機体１２内に張込まれた穀物は、前記揚穀機７０により揚穀され、前記上スクリューコンベア７６により搬送されて回転盤９０の上面に落下し、前記穀物タンク１４内に均等に分散して投入される。
そして、前記穀物タンク１４に投入された穀物は、前記通風乾燥部１５を流下し、前記下スクリューコンベア６４により機体１２の前側に向けて搬送され、再び前記揚穀機７０により揚穀され、前記上スクリューコンベア７６により搬送されて回転盤９０の上面に落下し、前記穀物タンク１４内に分散投入されて前記通風乾燥部１５を流下する。
【０００９】
上記穀物乾燥機１０において、前記吸引ファン５４を駆動すると、前記機体１２前面に設けられる前記ケース４２内に前記外気導入口４４から外気が導入される。前記ケース４２内に導入された外気は、前記バーナ４８により加熱された外気とともに穀物乾燥用の熱風として前記機体１２の前面壁１２Ａの開口２６から前記熱風室２２に吸引される。前記熱風室２２に吸引された熱風は、通気性を有する隔壁１８を通過して前記穀物乾燥室３６に侵入し、該穀物乾燥室３６を流下する穀物に作用して水分を奪う。その後、前記熱風は、通気性を有する隔壁１６を通過して前記排風室４０へ流入し、前記機体１２後面側に配設される前記排風ダクト５６から排風される。
【００１０】
そして、上記穀物乾燥機１０では、前記機体１２内に張込まれた穀物が所定の水分量となるまで前記循環乾燥が繰り返される。
【００１１】
ところで、一般に穀物乾燥機において、穀物をムラなく効果的に乾燥させるためには、通風乾燥部に均一な温度の熱風を大量に導入する必要がある。
そして、上記穀物乾燥機１０によれば、前記ケース４２を介して前記通風乾燥部１５に大量の外気を導入することができる。
【００１２】
しかしながら、上記穀物乾燥機１０では、前記外気導入口４４から前記ケース４２内に導入された外気が前記バーナ４８により加熱された外気とともに穀物乾燥用の熱風として前記通風乾燥部１５に導入されることとなるため、該通風乾燥部１５には均一な温度の熱風を導入することができず、穀物をムラなく効果的に乾燥させることができない問題がある。
【先行技術文献】
【特許文献】
【００１３】
【特許文献１】特開２００９−２７５９８３号公報
【発明の概要】
【発明が解決しようとする課題】
【００１４】
そこで、本発明は、通風乾燥部に均一な温度の熱風を大量に導入することができ、穀物をムラなく効果的に乾燥させることができる穀物乾燥機を提供することを目的とする。
【課題を解決するための手段】
【００１５】
上記目的を達成するため、本発明は、
上部に穀物貯留部、下部に通風乾燥部を有する機体を備え、前記穀物貯留部から流下する穀物を前記通風乾燥部において通風乾燥する穀物乾燥機であって、前記機体の一側には外気導入口が形成されてなるケースが配設されるとともにバーナが設けられ、前記機体の他側には排風ファンが配設されてなり、前記通風乾燥部は、前記ケースに連通する熱風室、該熱風室の側方に通気性を有する隔壁を介して設けられ前記穀物が流下する乾燥室、前記乾燥室の側方に通気性を有する隔壁を介して設けられ前記排風ファンと連通する排風室、を有してなる穀物乾燥機において、
前記熱風室内には、前記ケース内に導入される外気を当該熱風室に案内する隔壁であって、前記機体の一側から他側に向けて延伸し当該熱風室内において端部が開口する案内隔壁が配設されるとともに、前記ケース内には、前記バーナにより加熱される外気を前記案内隔壁内に案内するバーナ隔壁が配設されてなり、
前記バーナにより加熱される外気とそれ以外の外気を、前記案内隔壁内で混合して前記熱風室に導入することを特徴とする。
【００１６】
本発明は、前記バーナ隔壁が筒状であって、前記案内隔壁内において側面が開口することが好ましい。
【００１７】
本発明は、前記案内隔壁が、遠赤外線を放射する隔壁であることが好ましい。
【発明の効果】
【００１８】
本発明によれば、バーナにより加熱される外気とそれ以外の外気を案内隔壁内で混合して熱風室に導入することで、通風乾燥部に導入される熱風温度の均一化を図ることができるため、穀物をムラなく効果的に乾燥させることが可能となる。
【００１９】
本発明は、前記案内隔壁内において、バーナ隔壁の側面が開口するものであれば、バーナにより加熱される外気とそれ以外の外気との混合を促進することができる。
【００２０】
本発明は、ケース内に導入される外気を熱風室に案内する案内隔壁が遠赤外線を放射する隔壁であれば、遠赤外線の輻射熱の作用により穀物を効率よく乾燥させることができる。
【図面の簡単な説明】
【００２１】
【図１】本発明の穀物乾燥機における通風乾燥部の側断面図。
【図２】図１のＡ−Ａ断面図。
【図３】特許文献１に記載された穀物乾燥機の側断面図。
【図４】特許文献１に記載された穀物乾燥機の正断面図。
【発明を実施するための形態】
【００２２】
本発明の実施の形態について説明する。
＜穀物乾燥機の全体構成＞
本発明の実施の形態における穀物乾燥機は、上部に穀物タンク、下部に通風乾燥部を有する機体と、該機体の前側に立設される揚穀機を備える周知のものである。
【００２３】
本発明の実施の形態における穀物乾燥機の全体構成を図３及び図４を用いて説明すると、前記通風乾燥部１５の下方には、前記揚穀機７０の下部に接続される下スクリューコンベア６４が配設されている。
また、前記穀物タンク１４の上方には、前記揚穀機７０の上部に接続される上スクリューコンベア７６が配設され、該上スクリューコンベア７６の後端下方には回転盤９０が設けられている。
【００２４】
本発明の実施の形態における穀物乾燥機において機体１２内に張込まれた穀物は、前記揚穀機７０により揚穀され、前記上スクリューコンベア７６により搬送されて回転盤９０の上面に落下し、前記穀物タンク１４内に均等に分散して投入される。
前記穀物タンク１４に投入された穀物は、前記通風乾燥部１５を流下し、前記下スクリューコンベア６４により機体１２の前側に向けて搬送され、再び前記揚穀機７０により揚穀され、前記上スクリューコンベア７６により搬送されて回転盤９０の上面に落下し、前記穀物タンク１４内に分散して投入され前記通風乾燥部１５を流下する。
【００２５】
その間、前記穀物は、前記通風乾燥部１５において熱風の作用により水分を奪われ乾燥する。
そして、本発明の実施の形態における穀物乾燥機においては、前記機体１２内に張込まれた穀物が所定の水分量となるまで前記循環乾燥が繰り返される。
【００２６】
＜通風乾燥部の構成＞
次に、本発明の実施の形態の穀物乾燥機における通風乾燥部の構成について説明する。
図１は本発明の実施の形態の穀物乾燥機における通風乾燥部の側断面図、図２は本発明の実施の形態の穀物乾燥機における通風乾燥部の正断面図であって図１のＡ−Ａ断面図を示す。
本発明の実施の形態における穀物乾燥機において、通風乾燥部１１５の中央には熱風室１２２が設けられ、該熱風室１２２の両側には通気性を有する隔壁１１８を介して穀物乾燥室１３６、該穀物乾燥室１３６のさらに外側には通気性を有する隔壁１１６を介して排風室１４０が設けられている。
【００２７】
機体１１２の前面壁には開口１２６が設けられ、前記開口１２６の前側には、外気導入口１４４が形成されてなるケース１４２が配設されている。
【００２８】
前記熱風室１２２内には、前記機体１１２の前面壁に固定された状態で後面壁に向けて延伸し前記熱風室１２２内において端部１２８が開口する非通気性の案内隔壁１２９が配設されている。前記ケース１４２と前記熱風室１２２は、前記開口１２６及び前記案内隔壁１２９を介して連通している。
【００２９】
前記ケース１４２内にはバーナ１４８が配設されるとともに、前記バーナ１４８により加熱された外気を前記案内隔壁１２９に案内する筒状のバーナ隔壁１４９が、該案内隔壁１２９と平行に延びる方向に配設されている。前記バーナ隔壁１４９は、前記案内隔壁１２９側の端部が閉鎖され、該端部近傍上面が開口１４９Ａしている。
【００３０】
前記機体の後面壁には、前記排風室４０と連通する開口１５２が設けられ、前記開口の後側には、ファンボックス１５０を介して吸引ファン１５４及び排風ダクト１５６が配設されている。
【００３１】
本発明の実施の形態における穀物乾燥機において、前記吸引ファン１５４を駆動すると、前記機体１１２前面に設けられる前記ケース１４２内に外気導入口１４４から外気が導入される。
その内、前記バーナ１４８により加熱された外気は、前記バーナ隔壁１４９により案内されて前記開口１４９Ａから前記案内隔壁１２９内に導入される。
また、前記バーナ１４８により加熱されていない外気は、前記機体１１２の前面壁に設けられる前記開口１２６から直接、前記案内隔壁１２９内に導入される。
【００３２】
そして、前記バーナ１４８により加熱された外気と前記バーナ１４８により加熱されていない外気とは、該案内隔壁１２９内で混合され均一な温度の熱風となって前記熱風室に導入される。
その際、前記バーナ１４８により加熱された外気は、該バーナ隔壁１４９の端部近傍上面に形成される開口１４９Ａから、前記案内隔壁１２９内に対し軸に直角な方向に導入されるので、前記開口１２６から前記案内壁１２９内に対し軸に平行な方向に導入される外気との混合が促進される。
【００３３】
そして、前記熱風室１２２に導入された均一な温度の熱風は、前記隔壁１１８を通過して前記穀物乾燥室１３６に侵入し、該穀物乾燥室１３６を流下する穀物に作用して水分を奪う。その後、前記均一な温度の熱風は、さらに前記隔壁１１６を通過して前記排風室１４０へ流入し、前記機体１１２後面側に配設される前記排風ダクト１５６から排風される。
【００３４】
本発明の実施の形態の穀物乾燥機は、ケース１４２内に導入される外気であってバーナ１４８により加熱された外気と前記バーナ１４８により加熱されていない外気とを前記案内隔壁１２９内で混合して前記熱風室１２２に導入することで、前記通風乾燥部１１５に導入される熱風温度の均一化を図ることができるため、穀物をムラなく効果的に乾燥させることができる。
【００３５】
本発明の穀物乾燥機において、前記案内隔壁１２９は、前記バーナ１４８により加熱された外気と前記バーナ１４８により加熱されていない外気が混合し、前記通風乾燥部１１５に導入される熱風の温度を均一化できる長さであればよい。
【００３６】
本発明の穀物乾燥機において、前記バーナ隔壁１４９は、前記案内隔壁１２９側の端部が閉鎖され、該端部近傍上面が開口１４９Ａすることとしたが、前記バーナ隔壁１４９の側面（隔壁面）であれば、上方に限らずいずれの方向に開口しても、前記バーナ１４８により加熱された外気と前記バーナ１４８により加熱されていない外気との混合を促進することができる。
なお、前記バーナ隔壁１４９は、前記案内隔壁１２９側の端部が開口するものとすることもできる。
【００３７】
本発明の穀物乾燥機において、前記案内隔壁１２９は遠赤外線を放射する素材により形成することができる。
前記案内隔壁１２９が遠赤外線を放射する隔壁であれば、遠赤外線の輻射熱の作用により穀物を効率よく乾燥させることができる。
【００３８】
また、前記案内隔壁１２９は、遠赤外線を放射する材料により表面を被覆されるものとすることもできる。この場合においても、遠赤外線の輻射熱の作用により穀物を効率よく乾燥させることができる。
前記案内隔壁が遠赤外線を放射する隔壁である場合、前記案内隔壁１２９の表面積を大きくすることで遠赤外線の効果を高めることができる。
【００３９】
本発明は、上記実施の形態に限るものでなく発明の範囲を逸脱しない限りにおいて、その構成を適宜変更できることはいうまでもない。
【産業上の利用可能性】
【００４０】
本発明の穀物乾燥機は、穀物をムラなく効果的に乾燥させることができるものであり、極めて有用である。
【符号の説明】
【００４１】
１０      穀物乾燥機
１２      機体
１４      穀物タンク
１５      通風乾燥部
１６      通気性隔壁
１８      通気性隔壁
２２      熱風室
２６      開口
３６      穀物乾燥室
４０      排風室
４２      ケース
４４      外気導入口
４６      バーナケース
４８      バーナ
５０      ファンボックス
５２      開口
５４      吸引ファン
５６      排風ダクト
６４      下スクリューコンベア
７０      揚穀機
７６      上スクリューコンベア
１１２      機体
１１５      通風乾燥部
１１６      通気性隔壁
１１８      通気性隔壁
１２２      熱風室
１２６      開口
１２８      端部
１２９      案内隔壁
１３６      穀物乾燥室
１４０      排風室
１４２      ケース
１４４      外気導入口
１４８      バーナ
１４９      バーナ隔壁
１４９Ａ      開口
１５０      ファンボックス
１５２      開口
１５４      吸引ファン
１５６      排風ダクト
【図１】
2015108490.tif 000003
【図２】
2015108490.tif 000004
【図３】
2015108490.tif 000005
【図４】
2015108490.tif 000006